(57)【要約】  セッション情報を有するメモリチップ（６０）が装着された光ディスク（２）を提供する。また、光ディスクから光情報を読み取るための光ディスクドライブ装置（１）であって、前記メモリチップからセッション情報を読み取ることができ（ステップ３０３）、光ディスクにアクセスする際にこの情報を用いうるようにした当該光ディスクドライブ装置（１）をも提供する。更に、光ディスク内に光情報を書き込むための光ディスクドライブ装置（１）であって、前記メモリチップからセッション情報を読み取ることができ（ステップ４０３）、光ディスクにアクセスする際にこの情報を用いうるようになっており、書き込み処理（ステップ４０６）を実行した後に、このメモリチップにセッション情報を記憶させることができる（ステップ４０７）当該光ディスクドライブ装置（１）をも提供する。
2007503676.tif 000002
【特許請求の範囲】
【請求項１】
複数のセッションに情報を光学的に記憶させるのに適した光ディスクであって、セッション情報を記憶させたメモリチップを有する光ディスク。
【請求項２】
請求項１に記載の光ディスクにおいて、
この光ディスクは、情報を記憶させるための少なくとも１つのトラックを有しており、このトラックのリードイン領域にも、セッション情報が記録されている光ディスク。
【請求項３】
請求項１又は２に記載の光ディスクから光情報を読み取るための光ディスクドライブ装置であって、この光ディスクドライブ装置は、前記メモリチップからセッション情報を読み取り、光ディスクをアクセスする際にこの情報を用いるようになっている光ディスクドライブ装置。
【請求項４】
請求項３に記載の光ディスクドライブ装置であって、光ディスクドライブ装置は、
光ディスクを収容し、回転させる手段と、
制御回路によって制御され、光ビームを用いて光ディスクのトラックを走査して、このトラックから情報を読み取るための光学系及びアクチュエータ系と、
前記制御回路の入力／出力ポートに接続されており、光ディスクの前記メモリチップと通信するようになっているチップリーダ／ライタ装置と
を有し、前記制御回路が、読み取り命令に応じて、前記メモリチップからセッション情報を読み取るようになっている光ディスクドライブ装置。
【請求項５】
請求項４に記載の光ディスクドライブ装置であって、
この光ディスクドライブ装置は、
特定の情報片を読み取れとのユーザ命令を受ける第１ステップと、
メモリチップ内のセッション情報を参照する第２ステップと、
必要な情報がどの位置で見い出されるかを判断する第３ステップと、
この第３ステップにおいて判断された位置に飛び移る第４ステップと
を有する情報読み取り方法を実行するようになっている光ディスクドライブ装置。
【請求項６】
請求項５に記載の光ディスクドライブ装置であって、
この光ディスクドライブ装置は、
前記第１ステップの後に、まず、セッション情報を有するメモリチップを光ディスクが具えているか否かをチェックし、
このチェックの結果、この光ディスクが、セッション情報を有するメモリチップを具えることが分った場合には、前記第２、第３及び第４ステップに進むようになっている光ディスクドライブ装置。
【請求項７】
請求項１又は２に記載の光ディスクに光情報を書き込むための光ディスクドライブ装置であって、この光ディスクドライブ装置は、前記メモリチップからセッション情報を読み取り、光ディスクをアクセスする際にこの情報を用いうるようになっており、書き込み処理を実行した後に、前記メモリチップにセッション情報を記憶させるようになっている光ディスクドライブ装置。
【請求項８】
請求項７に記載の光ディスクドライブ装置であって、この光ディスクドライブ装置は、
光ディスクを収容し、回転させる手段と、
制御回路によって制御され、光ビームを用いて光ディスクのトラックを走査して、このトラックに情報を書き込むか、又はこのトラックから情報を読み取るための光学系及びアクチュエータ系と、
前記制御回路の入力／出力ポートに結合されており、光ディスクの前記メモリチップと通信するようになっているチップリーダ／ライタ装置と
を有し、前記制御回路が、書き込み命令に応じて、前記メモリチップにセッション情報を書き込むか、又は読み取り命令に応じて、前記メモリチップからセッション情報を読み取るようになっている光ディスクドライブ装置。
【請求項９】
請求項８に記載の光ディスクドライブ装置であって、
この光ディスクドライブ装置は、
特定の情報片を書き込めというユーザ命令を受ける第１ステップと、
メモリチップ内のセッション情報を参照する第２ステップと、
書き込み処理を行いうる空きトラック部分を判断する第３ステップと、
この第３ステップにおいて判断されたトラック部分の開始位置に飛び移る第４ステップと、
新たなセッションに情報を書き込む第５ステップと、
この新たなセッションへの書き込み処理が完了した後に、前記メモリチップ内に、更新されたセッション情報を書き込む第６ステップと
を有する情報書き込み方法を実行するようになっている光ディスクドライブ装置。
【請求項１０】
請求項９に記載の光ディスクドライブ装置であって、
この光ディスクドライブ装置は、
前記第１のステップの後に、まず、セッション情報を有するメモリチップを光ディスクが具えているか否かをチェックし、
このチェックの結果、この光ディスクが、セッション情報を有するメモリチップを具えることが分った場合には、前記第２〜第６ステップに進むようになっている光ディスクドライブ装置。
【請求項１１】
請求項７に記載の光ディスクドライブ装置において、
記録可能な光ディスクに対してランダム書き込み処理を行いうる光ディスクドライブ装置。
【請求項１２】
比較的低速でアクセスする記憶媒体と、比較的高速でアクセスする記憶媒体とを有する記憶装置であって、この比較的高速でアクセスする記憶媒体が、前記比較的低速でアクセスする記憶媒体内に記憶されたデータに関するフォーマット情報及び状態情報の双方又はいずれか一方を有する記憶装置。
【請求項１３】
請求項１２に記載の記憶装置から情報を読み取るための読み取り装置であって、この読み取り装置は、前記比較的高速でアクセスする記憶媒体から情報を読み取り、この情報を、前記比較的低速でアクセスする記憶媒体をアクセスする際に使用するようになっている読み取り装置。
【請求項１４】
請求項１２に記載の記憶装置に情報を書き込むための書き込む装置であって、この書き込み装置は、前記比較的高速でアクセスする記憶媒体から情報を読み取り、この情報を、前記比較的低速でアクセスする記憶媒体にアクセスする際に使用し、更に、前記比較的低速でアクセスする記憶媒体に対する書き込み処理を実行した後に、前記比較的高速でアクセスする記憶媒体に情報を記憶させるようになっている書き込み装置。
【発明の詳細な説明】
【技術分野】
【０００１】
本発明は、光記憶ディスクに関するものである。
【背景技術】
【０００２】
光記憶ディスクは、一般に知られているように、情報をデータパターンの形態で記憶させることができる記憶空間の少なくとも１つのトラックを、連続らせんの形態又は複数の同心円の形態で有している。光ディスクは、情報を製造中に記録する読み出し専用形式にすることができ、この場合、ユーザはその情報の読み出しのみが可能となる。光記憶ディスクは、ユーザが情報を記憶することができる書き込み可能形式にすることもできる。このような書き込み可能形式の光ディスクの１つがＤＶＤ（ディジタル多用途ディスク）であり、本発明は、特にＤＶＤディスクに関するものである。そのため、以下では本発明をＤＶＤ形式のディスクに関して説明する。しかし、本発明の要旨は、他の形式の記録可能ディスクにも適用しうるため、以下の説明は、本発明の範囲をＤＶＤディスクのみに限定するものでないことを理解されたい。
【０００３】
光ディスクに情報を記憶させうるようにする、及び光ディスクから光データを読み出しうるようにする、一般の光ディスク、特にＤＶＤディスクに関する技術は、広く知られているため、ここでこの技術について更に詳細に説明することは要しないものである。しかし、記憶位置がアドレスを有することを実現することは重要である。
【０００４】
情報は、いくつかのセッションにおいてディスクに書き込まれる。各セッションは、１つ以上のトラックを有しうるもので、各トラックは、１つ以上の順次に書き込まれたブロックを有する。トラックは、トラック状態として表される「オープン」、「クローズド」又は「インビジブル」の状態を有しうる。
「クローズド」トラックとは、トラックの長さが既知であり、このトラックが、データで完全に満たされていることを意味する。
「オープン」トラックとは、トラックの長さは既知であるが、このトラックが、未だデータで完全に満たされていないことを意味する。
「インビジブル」トラックとは、トラックの長さが未だ分らないことを意味する。
【０００５】
同様に、セッションも、セッション状態として表される「オープン」又は「クローズド」状態を有し得る。
「クローズド」セッションとは、セッションの長さが既知であり、このセッションの全てのトラックが「クローズド」状態にあることを意味する。
「オープン」セッションとは、セッションの長さが分っておらず、このセッションが１つ以上の「オープン」及び「インビジブル」トラックの双方又はいずれか一方を有することを意味する。
【０００６】
各セッションは、「セッションリードイン」と称される部分（領域）から開始するものであり、この部分は、セッション状態と、このセッションにあるトラックのトラック状態の概要とに関する情報を含んでいる。
【０００７】
ディスク全体には「ディスクリードイン」と称される部分があり、この部分は、複数セッションの情報、即ち全てのセッションのセッション状態に関する情報を含んでいる。しかし、このディスクリードイン部分は、トラック状態に関するいかなる情報も含んでいない。
【０００８】
ディスクリードイン部分及びセッションリードイン部分におけるセッション状態及びトラック状態に関する情報は、ディスクの読み出し又は書き込みを行うディスクドライブ装置にとって重要なものである。これに関連して、ディスクの書き込み（及び読み出し）を行いうる「ライタ」と称されるディスクドライブ装置と、ディスクの読み出しのみを行いうる「リーダ」と称されるディスクドライブ装置との区別が重要になる。
【０００９】
ＤＶＤディスクの記憶トラックの一部にユーザ情報が書き込まれている場合、このユーザ情報はアドレス情報及び位置情報を伴っており、このユーザ情報にアクセスしうるようになっている。リーダが特定のユーザ情報を見い出そうとする場合、このリーダは、この特定のユーザ情報のアドレスと、トラックやセクタのような位置情報とを知る必要がある。具体的には、このようなリーダは、セッションの開始アドレスを知る必要があり、またセッション状態を知る必要がある。この点に関して、ディスクリードイン部分におけるセッション情報は、リーダがアクセスすることのできない未書き込み領域により包囲されているため、リーダがこの情報を読み出すことができないという問題がある。従って、リーダは、各セッションリードイン部分におけるセッション情報を読み出すために、セッションからセッションへの飛び移り（セッションホッピング）を行う必要がある。ライタにはこれらの問題は存在しない。その理由は、ライタは、ディスクリードイン部分におけるセッション情報の概要を読み出すことができるためである。しかし、ライタが情報の書き込みを開始する命令を受けると、ライタは情報の書き込みをどこで開始するかを知る必要があり、このために最後のセッションの状態を知る必要がある。最後のセッションがクローズドセッションであれば、ディスクリードイン部分におけるセッション情報の概要があれば充分である。しかし、多くの場合において、最後のセッションはオープンセッションであり、この場合、ライタは各オープン又はインビジブルトラックの最後のアドレスを知る必要がある。これらのアドレスはどこにも示されていないため、ライタは、必要な情報を検出するためにトラックからトラックへの飛び移り（トラックホッピング）を行う必要がある。
【００１０】
このようなホッピング処理には、１回の飛び移り当り１秒程度かかる場合がある。飛び移り操作が未書き込み領域で終わっている場合にはいつでも、ＤＶＤドライブは位置情報を全く得ることができず、書き込み領域を見い出すための修復処理を再度行う必要がある。このような修復処理には数秒かかる場合がある。換言すると、セッション情報を集めるためのセッションホッピング処理、又はトラック情報を集めるためのトラックホッピング処理の進行には、極めて長い時間がかかる場合がある。
【００１１】
更に、このようなホッピング処理の間にアドレス情報を読み出し解釈する必要がある。ライタは、ウォブルの符号化からアドレス情報を読み出すことができるが、リーダは、書き込まれたデータに組み込まれているアドレス情報を読み出しうるにすぎない。読み出し処理中には誤りが発生するおそれがあり、処理が成功するか否かはフォーマットの信頼性に応じたものとなる。
【００１２】
これらの問題の一部を解決する一つの可能性として、リーダ装置に、ウォブルのアドレス情報を読み出すためのＯＰＵ及びこれに関連する電気回路を設ける方法がある。しかし、これには比較的多くの費用がかかる。
【００１３】
従って、本発明の主たる目的は、上述した問題を解決又は少なくとも緩和するための経済的な方法を提供することにある。
【発明の開示】
【００１４】
上述した課題を解決するために、本発明は、セッション情報を有するメモリチップを光ディスク上に装着した当該光ディスクを提供する。
【００１５】
また、本発明は、光ディスクから光情報を読み出すための光ディスクドライブ装置であって、前述したメモリチップからセッション情報を読み出して、光ディスクをアクセスする際にこの情報を用いることができる当該光ディスクドライブ装置を提供する。
【００１６】
更に、本発明は、光ディスクに光情報を書き込むための光ディスクドライブ装置であって、前述したメモリチップからセッション情報を読み出し、光ディスクをアクセスする際にこの情報を用いることができ、且つ書き込み処理を行った後にこのメモリチップにセッション情報を記憶させることができる当該光ディスクドライブ装置を提供する。書き込まれたセッションのデータ保全を確実にするため、このようなメモリチップの読み出し及び書き込みを行うことができない従来技術のライタに対し、このようなメモリチップを有するディスクがアクセスし得ないようにしておくのが好ましい。このことは、ブック型バイトをウォブル内に適切な値で設定することにより達成することができる。
【００１７】
本発明の上述の及びその他の観点、特徴及び利点を、図面を参照して以下に更に説明する。図面中、同一の参照符号は、同一の又は同様の部分を示す。
図１は、代表的にはＤＶＤである光ディスク２上に情報を記憶させ、又は光ディスク２から情報を読み出すのに適した光ディスクドライブ装置１を線図的に示している。この光ディスクドライブ装置１は、光ディスク２を回転させるために、回転軸線５を規定するフレーム（簡単化のために図示せず）に固定されたモータ４を有する。光ディスク２を収容し且つ保持するために、光ディスクドライブ装置１に、ターンテーブル又はクランピングハブ６を設けることができ、スピンドルモータ４の場合には、ターンテーブル又はクランピングハブ６は、モータ４の回転軸７上に装着される。
【００１８】
光ディスク２は２つの主要面２Ｂ及び２Ｔを有する。以下、第１主要面２Ｂを底面と、第２主要面２Ｔを頂面とも称する。
【００１９】
更に、光ディスクドライブ装置１は、光ビームにより光ディスク２のトラック（図示せず）を走査するための光学系３０を有する。より具体的に言えば、この光学系３０は、代表的にはレーザダイオードのようなレーザである光ビーム発生手段３１を有し、この手段は、光ビーム３２ａを発生するようになっており、この光ビーム３２ａは、ビームスプリッタ３３及び対物レンズ３４を通過するようになっている。この対物レンズ３４は、光ビーム３２ｂを光ディスク２上の焦点Ｆに集束させる。この光ビーム３２ｂは、光ディスク２で反射されて（反射光ビーム３２ｃ）、対物レンズ３４及びビームスプリッタ３３を通過し（ビーム３２ｄ）、光検出器３５に到達する。
【００２０】
図１では、光学系３０が光ディスク２の底面２Ｂ側に示されているため、簡単化のために焦点Ｆは光ディスク２の底面２Ｂ上に示してあることに注意されたい。実際のところ、焦点Ｆは、当業者にとって明らかなように、光ディスク２のやや深い位置にある記録層（図示せず）上に存在している。
【００２１】
光ディスクドライブ装置１は更に、アクチュエータ系４０を有し、このアクチュエータ系４０は、対物レンズ３４が所望のトラックまで移動し、そのトラックを正確に追随するようにする。詳細には、光ディスクドライブ装置１は、対物レンズ３４を光ディスク２に対して径方向に移動させる径方向アクチュエータ４１を有する。この径方向アクチュエータ自体は既知のものであり、また本発明はこのような径方向アクチュエータの設計及び機能に関するものではないため、ここで径方向アクチュエータの設計及び機能についての詳細な説明は要しない。
【００２２】
光ビーム３２ｂを光ディスク２の所望の位置に正確に集束させるのを達成且つ維持するために、対物レンズ３４は軸線方向に移動可能に装着されており、光ディスクドライブ装置１は、更に、この対物レンズ３４を光ディスク２に対して軸線方向に移動させる焦点アクチュエータ４２を有する。軸線方向に移動させる焦点アクチュエータ自体は既知のものであり、またこのような焦点アクチュエータの設計及び動作は本発明の主題ではないため、ここで焦点アクチュエータの設計及び動作についての詳細な説明は要しない。
【００２３】
対物レンズを装置のフレームに対して支持する支持手段と、対物レンズを軸線方向及び径方向に移動させる移動手段とは、これら自体一般に既知のものであることに注意されたい。このような支持手段及び移動手段の設計及び動作は、本発明の主題ではないため、これらの手段の設計及び動作についての詳細な説明は要しない。対物レンズをピボット運動させる手段についても同様である。
更に、径方向アクチュエータ４１及び焦点アクチュエータ４２は、１つの一体化したアクチュエータとして構成しうることに注意されたい。
【００２４】
ディスクドライブ装置１は更に、制御回路９０を具えており、この制御回路９０は、モータ４の制御入力端に接続された第１出力端９２と、径方向アクチュエータ４１の制御入力端に接続された第２出力端９３と、焦点アクチュエータ４２の制御入力端に接続された第３出力端９４とを有する。この制御回路９０は、モータ４を制御するための制御信号ＳＣＭを第１出力端９２において発生し、径方向アクチュエータ４１を制御するための制御信号ＳＣＲを第２出力端９３において発生し、焦点アクチュエータ４２を制御するための制御信号ＳＣＦを第３出力端９４において発生するよう設計されている。
【００２５】
この制御回路９０は更に、光検出器３５から読み取り信号ＳＲを受信するための読み取り信号入力端９１と、レーザ３１に接続されレーザ３１の動作を制御するデータ出力端９７とを有する。
【００２６】
従って、当業者にとって明らかであり、当該技術分野において既知であるように、この制御回路９０は、モータ４、レーザ３１、アクチュエータ４１及び４２を適切に制御すると共に、光検出器３５からの読み取り信号ＳＲを適切に処理することにより、光ディスク２から光情報を読み取ることができる。また、制御回路９０は更に、モータ４、レーザ３１、アクチュエータ４１及び４２を適切に制御することにより光ディスク２に光情報を書き込むことができる。
【００２７】
図２は、光ディスク２のトラック５０を連続的な細条として示す。トラック５０は、情報が書き込まれたトラック部５１を有し、これらトラック部は、括弧内の番号により個々に表したセッションとしても示してある。トラック５０の非書き込み部、即ちブランクのトラック部は、参照番号５２で示してある。順次のセッション５１（ｉ）及び５１（ｉ＋１）は、ブランクのトラック部５２により分離されていることが分る。トラック５０の開始時には、セッション情報、即ちセッション５１の長さ及び位置に関する情報を有するリードイン領域５３を示してある。
【００２８】
図３及び４を参照して、本発明による光ディスクドライブ１の動作を説明する。
この光ディスクドライブ１は、従来技術のディスク、即ちいかなるメモリチップも含まないディスクに対処しうる。このようなディスクに対処するために、制御回路９０は、光ディスクへのアクセス前及びアクセス後の少なくとも一方において、リードイン領域５３のセッション情報の参照及び更新の双方又はいずれか一方を行うように設計されている。
【００２９】
より具体的には、制御回路９０が、特定の情報を読み取れというユーザ命令を受けると［ステップ３０１］、この制御回路９０は、リードイン領域５３内のセッション情報を参照してセッションの配置を見出し［ステップ３１３］、必要な情報がどの位置にあるかを判断し［ステップ３１４］、その後この位置に飛び移る［ステップ３１５］。
【００３０】
一方、制御回路９０が、特定の情報を書き込めというユーザ命令を受けると［ステップ４０１］、この制御回路９０は、リードイン領域５３内のセッション情報を参照してセッションの配置を見い出し［ステップ４１３］、書き込み処理を行いうる空きトラック部を判断し［ステップ４１４］、このトラック部の開始位置に飛び移る［ステップ４１５］。その後、制御回路９０が、新たなセッションに情報を書き込む［ステップ４１６］。制御回路９０がこの新たなセッションへの書き込みを完了した後に、制御回路９０は、更新されたセッション情報をリードイン領域内に書き込む［ステップ４１７］。セッション情報は、セッションへの書き込みを完了した直後に更新することもできるし、又は光ディスクドライブから光ディスクを取出す際、即ち場合に応じて複数のセッションへの書き込みを完了した後に更新することもできる。このような処理は当業者にとって既知であるため、ここではその詳細な説明は要しない。
【００３１】
本発明の重要な観点によれば、光ディスク２は、この光ディスク２上又は光ディスク素材内に固着したメモリチップ６０を具える。このメモリチップ６０は、光ディスク２の底面２Ｂに装着することができるが、図２に示されるように、光ディスク２の頂面２Ｔ、即ち光学系３０の側とは反対の側に装着するのが好ましい。このメモリチップ６０は、光ディスク２の外周部の近くに装着することができるが、図２に示されるように回転軸線５の近くに装着するのが好ましい。
【００３２】
このメモリチップ６０と通信するために、光ディスクドライブ１は、制御回路９０の入力／出力ポート９８に接続したチップリーダ／ライタ装置６１を有する。このチップリーダ／ライタ装置６１は、好ましくはチップと接触することなく、代表的にはＲＦ伝送により、チップ６０に信号を送り、又はチップ６０から信号を受けるようになっている。制御回路９０は、このチップリーダ／ライタ装置６１を介して、チップ６０内に情報を記憶させ、又はチップから情報を読み取ることができる。
【００３３】
メモリチップを製造したり、物理的接触を必要とすることなくメモリチップ内に情報を書き込んだり、物理的接触を必要とすることなくメモリチップから情報を読み取ったりする技術自体は、既知であることに注意されたい。本発明は、このような技術に関連するものではなく、更に本発明を実施する際に既存の技術を使用しうることから、ここでこの技術について詳細に説明することは要しない。
【００３４】
本発明の他の重要な観点によれば、メモリチップ６０がセッション情報を有している。
光ディスクドライブ１は、メモリチップ６０を具えるディスクを扱う場合、リードイン領域５３内のセッション情報の参照及び更新の双方又はいずれか一方を行うか、或いはメモリチップ６０内のセッション情報の参照及び更新の双方又はいずれか一方を行うかを選択する。特に、本発明によれば、光ディスクへのアクセス前及びアクセス後の少なくとも一方において、リードイン領域に関して上述したのと同様にして、メモリチップ６０内のセッション情報の参照及び更新の双方又はいずれか一方を行うように制御回路９０を設計する。
【００３５】
より具体的には、制御回路９０が、特定の情報を読み取れというユーザ命令を受けると［ステップ３０１］、この制御回路９０は、メモリチップ６０内のセッション情報を参照してセッションの配置を見い出し［ステップ３０３］、必要な情報がどの位置で見い出されるかを判断し［ステップ３０４］、その後この位置に飛び移る［ステップ３０５］。
【００３６】
制御回路９０は、ステップ３０１からステップ３０３に直ちに進むようにすることができる。また、制御回路９０が、何らかの理由でリードイン領域の読み取りを行うことができない場合にのみ、制御回路９０がステップ３０１からステップ３０３に進み、それ以外の場合には制御回路９０がステップ３１３に進むようにすることもできる。
【００３７】
或いは又、図３に示すように、まず、制御回路９０が、セッション情報を有するメモリチップを光ディスク２が具えているか否かをチェックするようにすることもでき［ステップ３０２］、メモリチップを具える場合には、制御回路９０が、リードイン領域を参照することを試みることなく、代わりにメモリチップ６０を参照するようにすることができる。このステップ３０２において、制御回路９０が、光ディスク２はこのようなメモリチップ６０を具えていないことを見い出した場合には、リードイン領域５３を参照するステップに進む［ステップ３１３〜３１５］。
【００３８】
一方、制御回路９０が、特定の情報を書き込めというユーザ命令を受けると［ステップ４０１］、この制御回路９０は、メモリチップ６０内のセッション情報を参照してセッションの配置を見い出し［ステップ４０３］、書き込み処理を行いうる空きトラック部を判断し［ステップ４０４］、このトラック部の開始位置に飛び移る［ステップ４０５］。その後、制御回路９０が、新しいセッションに情報を書き込む［ステップ４０６］。制御回路９０が新しいセッションへの書き込みを完了した後に、制御回路９０は、更新されたセッション情報をメモリチップ６０内に書き込む［ステップ４０７］。セッション情報は、セッションへの書き込みを完了した直後に更新することもできるし、又はディスクドライブからディスクを取出す際、即ち場合に応じて複数のセッションに書き込みを完了した後に更新することもできる。この点に関して、この操作は、リードイン領域にセッション情報を書き込む場合の従来技術の処理と同様のものであるため、ここでのこの処理のより詳細な説明は要しない。
【００３９】
制御回路９０は、ステップ４０１からステップ４０３に直ちに進むことができる。また、制御回路９０が、何らかの理由でリードイン領域の読み取りを行うことができない場合にのみ、この制御回路９０がステップ４０１からステップ４０３に進むようにし、それ以外の場合にはステップ４１３に進むようにすることもできる。
【００４０】
或いは又、図４に示すように、まず、制御回路９０が、セッション情報を有するメモリチップを光ディスク２が具えているか否かをチェックするようにすることもでき［ステップ４０２］、メモリチップを具える場合には、書き込み処理を行う前に、制御回路９０が、リードイン領域を参照することを試みることなく、代わりにメモリチップ６０を参照するようにすることができる。このステップ４０２において、制御回路９０が、このようなメモリチップ６０を光ディスク２が具えていないということを見い出した判断した場合には、この制御回路はリードイン領域５３を参照するステップに進む［ステップ４１３〜４１７］。書き込み処理の後に、制御回路９０が、メモリチップ６０内にのみ更新されたセッション情報を書き込むようにすることができる［ステップ４０７］。しかし、制御回路９０は、更新されたセッション情報を、メモリチップ６０内に書き込むだけでなく［ステップ４０７］、図４の点線で示すようにリードイン領域５３内にも書き込むようにするのが好ましい［ステップ４１７］。
【００４１】
本発明は上述した実施例に限定されるものでなく、特許請求の範囲に記載された本発明の範囲内で、種々の変型及び変更を行いうること当業者にとって明らかである。
【００４２】
例えば、メモリチップが、セッション情報以外の追加情報を有するようにすることができる。
また、セッション情報を、メモリチップにのみ記憶させ、リードイン領域には記憶させないようにしうる。この場合、制御回路９０は、メモリチップ６０のみを参照し、リードイン領域を参照しないことになる。
【００４３】
メモリチップ６０内に記憶させる情報は、リードイン領域内に記憶させる情報と同じものにすることができる。しかし、本発明によれば、メモリチップ６０内にはより多くの情報を記憶させることができる。例えば、メモリチップ６０内にトラック状態の情報を記憶（更新）させることができる。また、メモリチップ６０内に解凍（デアイス）テーブルを記憶させるのも極めて有利である。この場合、書き込み可能（追記型、即ちＲ−型の）ディスクへの書き込み処理は、もはや順次書き込み式に限定されるものでなく、ランダム書き込みアクセス式を利用しうるものとなる。
【図面の簡単な説明】
【００４４】
【図１】図１は、光ディスクドライブ装置を示す線図である。
【図２】図２は、ＤＶＤのトラック上のセッション配置を示す線図である。
【図３】図３は、本発明による光ディスクドライブ装置の読み取り処理を線図的に示す流れ図である。
【図４】図４は、本発明による光ディスクドライブ装置の書き込み処理を線図的に示す流れ図である。
【図１】
2007503676.tif 000003
【図２】
2007503676.tif 000004
【図３】
2007503676.tif 000005
【図４】
2007503676.tif 000006
【国際調査報告】
2007503676.tif 000007
2007503676.tif 000008
2007503676.tif 000009